(57)【要約】【課題】可変コンデンサの回転角の変化に応じた静電容量の変化の幅を小さくしつつ、調整可能な静電容量の可変幅を大きくする可変コンデンサを提供する。【解決手段】可変コンデンサ１０は、ステータ側電極１５を有するステータ２１と、ステータ側電極１５に対向するロータ側電極４２、４３を有し、ステータ２１に対して回転可能に保持されるロータ４１とを備える。ステータ側電極１５とロータ側電極４２、４３とが対向することで第１のコンデンサ部が形成されている。可変コンデンサ１０は、第２のコンデンサ部と接続可能に構成されている。第１のコンデンサ部と第２のコンデンサ部とは並列に接続可能である。第１のコンデンサ部は、ロータの回転角度に応じて静電容量が変化する。可変コンデンサは、第２のコンデンサ部と第１のコンデンサ部との並列な接続のオンとオフとを切り替える切替部３０を備える。【選択図】図１
2015122409.tif 000002
【特許請求の範囲】
【請求項１】
可変コンデンサであって、
ステータ側電極を有するステータと、
前記ステータ側電極に対向するロータ側電極を有し、前記ステータに対して回転可能に保持されるロータとを備え、
前記ステータ側電極と前記ロータ側電極とが対向することで第１のコンデンサ部が形成されており、
前記可変コンデンサは、第２のコンデンサ部と接続可能に構成されており、
前記第１のコンデンサ部と前記第２のコンデンサ部とは並列に接続可能であり、
前記第１のコンデンサ部は、前記ロータの回転角度に応じて静電容量が変化し、
前記可変コンデンサは、前記第２のコンデンサ部と前記第１のコンデンサ部との前記並列な接続のオンとオフとを切り替える切替部を備える、可変コンデンサ。
【請求項２】
前記切替部は、前記ステータに配置されるスイッチ部材を含み、前記スイッチ部材の物理的な移動により前記第２のコンデンサ部と前記第１のコンデンサ部との前記並列な接続のオンとオフとを切り替えるよう構成されており、
前記ロータは、外周上に凸部を有し、前記ロータの回転角度に応じて前記凸部が前記スイッチ部材を押圧し移動させることで前記第２のコンデンサ部と前記第１のコンデンサ部との前記並列な接続のオンとオフとを切り替え可能に構成されている、請求項１に記載の可変コンデンサ。
【請求項３】
前記ステータは、前記ロータを回転させる軸部を受け止める第１の軸受穴と、第２の軸受穴とを含み、
前記切替部は、前記ステータに形成される前記第１の軸受穴と前記第２の軸受穴と前記軸部とを含み、前記軸部が前記第１の軸受穴により受け止められている場合、前記第１のコンデンサ部と前記第２のコンデンサ部との並列な接続はオフとなり、前記軸部が前記第２の軸受穴により受け止められている場合、前記第１のコンデンサ部と前記第２のコンデンサ部とが並列に接続される、請求項１に記載の可変コンデンサ。
【請求項４】
前記第２のコンデンサ部は、前記第１のコンデンサ部の静電容量の変化量の幅の大きさと略同一の固定容量の静電容量を有する、請求項１から３のいずれか１項に記載の可変コンデンサ。
【請求項５】
前記第１のコンデンサ部は、前記ロータの回転角度に応じて３６０度周期で静電容量が変化するよう構成され、回転角度が０度から１８０度までの間で静電容量が順次増加し、１８０度を中心として対称的な静電容量特性を有する、請求項１から４のいずれか１項に記載の可変コンデンサ。
【発明の詳細な説明】
【技術分野】
【０００１】
本開示は、可変コンデンサに関し、特に、ロータを回転させることによりステータ側電極とロータ側電極との対向面積を変化させて容量を可変とする可変コンデンサに関する。
【背景技術】
【０００２】
ロータ電極を備えたロータを回転させることで静電容量を変化させる可変コンデンサがある。例えば、特開２００４−１１９９３１号公報（特許文献１）は、ロータの回転に応じて３６０度周期で静電容量が変化するようにされている可変コンデンサにおいて、より高い分解能を得るための技術が開示されている。
【先行技術文献】
【特許文献】
【０００３】
【特許文献１】特開２００４−１１９９３１号公報
【発明の概要】
【発明が解決しようとする課題】
【０００４】
しかし、例えば通信機器の周波数の調整などを可変コンデンサによって行う場合、可変コンデンサの静電容量の変化の特性のため、調整作業が困難になることがある。例えば、可変コンデンサの静電容量の可変幅を比較的小さくした場合（可変感度を低くした場合）、ある一定の範囲に周波数を調整することは比較的容易となるが、周波数に関する特性のばらつきを吸収できず、周波数が調整範囲にたどりつかない場合がある。また、可変コンデンサの静電容量の可変幅を比較的大きくした場合（可変感度を高くした場合）、周波数に関する特性のばらつきを吸収し、調整範囲に周波数を調整することは容易となるが、可変感度が高いため、調整作業が困難となる。
【０００５】
そのため、可変コンデンサの回転角の変化に応じた静電容量の変化の幅を小さくしつつ、調整可能な静電容量の可変幅を大きくする技術が必要とされている。
【課題を解決するための手段】
【０００６】
一実施の形態に従う可変コンデンサは、ステータ側電極を有するステータと、ステータ側電極に対向するロータ側電極を有し、ステータに対して回転可能に保持されるロータとを備える。ステータ側電極とロータ側電極とが対向することで第１のコンデンサ部が形成されている。可変コンデンサは、第２のコンデンサ部と接続可能に構成されている。第１のコンデンサ部と第２のコンデンサ部とは並列に接続可能である。第１のコンデンサ部は、ロータの回転角度に応じて静電容量が変化する。可変コンデンサは、第２のコンデンサ部と第１のコンデンサ部との並列な接続のオンとオフとを切り替える切替部を備える。
【発明の効果】
【０００７】
上記実施の形態によると、切替部によって第２のコンデンサ部と第１のコンデンサ部との並列な接続のオンとオフとを切り替えるため、可変コンデンサの回転角の変化に応じた静電容量の変化の幅を小さくしつつ、第２のコンデンサ部の並列接続によって静電容量の可変幅を拡大することができる。例えば、通信機器において、周波数の特性のばらつきを吸収しつつ、容易に周波数を調整することができる。
【０００８】
この発明の上記および他の目的、特徴、局面および利点は、添付の図面と関連して理解されるこの発明に関する次の詳細な説明から明らかとなるであろう。
【図面の簡単な説明】
【０００９】
【図１】実施の形態１の可変コンデンサ１０の全体の構成を示す図である。
【図２】ロータ４１の構成を示す図である。
【図３】第１のコンデンサ部の静電容量を示す図である。
【図４】ロータ４１の回転によって切替部３０のスイッチ部材をオンからオフにする動作を示す図である。
【図５】ロータ４１の回転によって切替部３０のスイッチ部材をオフからオンにする動作を示す図である。
【図６】切替部３０のスイッチ部材がオフの状態における、ロータ４１の回転角度と可変コンデンサ１０の静電容量との関係を示す図である。
【図７】切替部３０のスイッチ部材がオンの状態における、ロータ４１の回転角度と可変コンデンサ１０の静電容量との関係を示す図である。
【図８】ロータ４１の回転角度と、切替部３０のスイッチ部材のオンオフとにより定まる可変コンデンサ１０の静電容量の値を示す図である。
【図９】第２のコンデンサ部が可変コンデンサ２０と接続されていない場合の可変コンデンサ２０の全体の構成を示す図である。
【図１０】第２のコンデンサ部が可変コンデンサ２０に接続されている場合の可変コンデンサ２０の全体の構成を示す図である。
【図１１】ロータ４７の回転角度と、軸部５５の固定位置とにより定まる可変コンデンサ２０の静電容量の値を示す図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
以下の実施の形態で説明する可変コンデンサは、ステータ側電極とロータ側電極とが対向することで形成される第１のコンデンサ部を有し、可変コンデンサの外部にある第２のコンデンサ部と接続可能である。第２のコンデンサ部は、第１のコンデンサ部と並列に接続可能である。
【００１２】
実施の形態で説明する可変コンデンサは、切替部を備えており、切替部は、第２のコンデンサ部と第１のコンデンサ部との並列な接続のオンとオフとを切り替える。実施の形態１の可変コンデンサ１０において、切替部とは、例えばスイッチ部材であり、スイッチ部材のオンとオフとによって、第２のコンデンサ部と第１のコンデンサ部との並列な接続のオンとオフとを切り替える。実施の形態２の可変コンデンサ２０において、切替部は、可変コンデンサ２０のロータをステータに固定するための複数の軸受穴と、ロータを回転させるためにロータに挿通される軸部とにより構成される。実施の形態２の可変コンデンサ２０では、ロータに挿通される軸部を、ステータの軸受穴のいずれに固定するかにより、第２のコンデンサ部と第１のコンデンサ部との並列な接続のオンとオフとを切り替える。
【００１３】
＜実施の形態１＞
図１は、実施の形態１の可変コンデンサ１０の全体の構成を示す図である。図１（Ａ）は、可変コンデンサ１０の平面図である。図１（Ｂ）は、断面で示す可変コンデンサ１０の正面図である。図１（Ｃ）は、可変コンデンサ１０の底面図である。
【００１４】
可変コンデンサ１０は、ステータ２１と、ロータ４１と、カバー１１と、切替部３０とを備える。ステータ２１は、誘電体材料によって構成され、例えば誘電体セラミックにより実現される。ロータ４１は、導電性材料によって構成され、例えば導電性金属によって構成される。カバー１１は、導電性材料によって構成され、例えば導電性金属によって構成される。切替部３０は、凸部３１と底部３２とによって構成されるスイッチ部材であり、ステータ２１上に配置される。
【００１５】
図１（Ｂ）に示すように、ロータ４１は、ロータ側電極４２と、ロータ側電極４３と、スイッチ調整部材４６Ａと、スイッチ調整部材４６Ｂとを有しており、ロータ４１に軸受穴４４が形成されている。図２は、ロータ４１の構成を示す図である。図２（Ａ）は、ロータ４１の平面図である。図２（Ｂ）は、断面で示すロータ４１の正面図である。図２（Ｃ）は、ロータ４１の底面図である。
【００１６】
ロータ側電極４２とロータ側電極４３とは、ロータ４１の下面側において、突出した段部を設けることで形成される。ロータ側電極４２とロータ側電極４３とを比較すると、ロータ側電極４３の方が、凸部の底面の面積が大きい。ロータ４１は、カバー１１と接触している。ロータ４１がステータ２１のステータ側電極１５と対向することで、第１のコンデンサ部が形成されている。図３は、第１のコンデンサ部の静電容量を示す図である。第１のコンデンサ部において、ロータ４１とステータ側電極１５とが対向している面積に応じた静電容量が発生する。
【００１７】
図１では図示していないが、軸棒を、調整用穴１９を通じてロータ４１の軸受穴４４に挿通し、図示しないステータ２１の軸受部にはめ込むことにより、ロータ４１をステータ２１に回転可能に固定する。可変コンデンサ１０は、軸受穴４４を挿通する軸棒を中心にロータ４１を回転させることで、ステータ２１とロータ４１とによって形成される静電容量を変化させることができる。図３に示すように、第１のコンデンサ部は、ロータ４１の回転角度に応じて３６０度周期で静電容量が変化するよう構成されている。第１のコンデンサ部は、最も小さな静電容量となる回転角度を０度として、回転角度が０度から１８０度までの間で静電容量が順次増加する。また、第１のコンデンサ部は、回転角度が１８０度を中心として対称的な静電容量特性を有しており、回転角度が１８０度から３６０度までの間で静電容量が順次減少する。
【００１８】
図１（Ｂ）を参照して、ステータ２１は、端子電極１６と、端子電極１７と、端子電極１８とを有する。ステータ２１は、端子電極１６と接続したステータ側電極１５を備える。ロータ４１とステータ側電極１５とが対向することで第１のコンデンサ部が形成される。ステータ側電極１５と端子電極１６とが接続し、ロータ４１とカバー１１とが接続し、カバー１１と端子電極１８とが接続している（図１（Ｂ）では、接触領域１２Ａ、接触領域１２Ｂにおいてロータ４１とカバー１１とが接続している）ため、第１のコンデンサ部の静電容量は、他の回路等から、端子電極１６と端子電極１８とを通じて取り出される。
【００１９】
ステータ２１の上面側に、電極部１３と電極部１４とが形成される。電極部１３と電極部１４とは、切替部３０のスイッチ部材がオンの場合に電気的に接続される。切替部３０のスイッチ部材のオンとオフとに応じて、電極部１３と電極部１４との電気的な接続のオンオフが切り替えられる。後述するが、ロータ４１の回転角度に応じてスイッチ調整部材４６Ａまたはスイッチ調整部材４６Ｂが切替部３０の凸部３１に接触し、切替部３０を移動させることで、切替部３０のスイッチ部材のオンとオフとが切り替わる。
【００２０】
図１では図示していないが、端子電極１６と端子電極１７との間に、可変コンデンサ１０の外部にある第２のコンデンサ部が接続される。第２のコンデンサ部は、切替部３０のスイッチ部材がオンの場合に、端子電極１６と端子電極１８との間に第１のコンデンサ部と並列に接続される。第２のコンデンサ部は、静電容量が固定の固定コンデンサとしてもよいし、静電容量を変化させることが可能な可変コンデンサとしてもよい。例えば、第１のコンデンサ部の静電容量の最大値を、容量Ｍａｘ＿Ｃ１とした場合、第２のコンデンサ部の静電容量は、容量Ｍａｘ＿Ｃ１とほぼ同一の静電容量としてもよい。これにより、可変コンデンサ１０は、第１のコンデンサ部によって、可変コンデンサ１０の静電容量の可変幅を小さく（可変感度を低く）しつつ、切替部３０によって第１のコンデンサ部と第２のコンデンサ部とを並列に接続することで、第１のコンデンサ部単体を使用する場合と比べて静電容量の可変容量幅を２倍程度にすることができる。
【００２１】
＜切替部３０の移動によるスイッチ部材のオンとオフ＞
図４は、ロータ４１の回転によって切替部３０のスイッチ部材をオンからオフにする動作を示す図である。図５は、ロータ４１の回転によって切替部３０のスイッチ部材をオフからオンにする動作を示す図である。
【００２２】
図４（Ａ）は、切替部３０のスイッチ部材がオンの状態を示す図である。図４（Ａ）に示すように、軸受穴４４を軸にしてロータ４１を右回り方向に回転させ、スイッチ調整部材４６Ｂと切替部３０の凸部３１とが接触している状態にあるとする。このとき、切替部３０のスイッチ部材がオンの状態にあり、電極部１３と電極部１４とが切替部３０によって接続しているとする。図４（Ａ）の状態からさらにロータ４１を右回り方向に回転させることにより、可変コンデンサ１０は、図４（Ｂ）の状態となる。
【００２３】
図４（Ｂ）は、切替部３０のスイッチ部材がオフの状態を示す図である。図４（Ｂ）に示すように、ロータ４１を回転させることに伴いスイッチ調整部材４６Ｂが物理的に移動して、切替部３０の凸部３１を押圧して切替部３０を移動させる。これにより、電極部１３と電極部１４との接続がオフとなる。
【００２４】
図４（Ｃ）は、切替部３０のスイッチ部材をオンからオフへと移行させたことを示す図である。底部３２の底面は導電性部材により形成されており、底部３２の底面が電極部１３と電極部１４と接触しているときに、電極部１３と電極部１４とが電気的に接続される。図４（Ｄ）は、ステータ２１の断面を示す図であり、切替部３０の移動によって、電極部１３と電極部１４との接続がオフになっている。
【００２５】
図５（Ａ）は、切替部３０のスイッチ部材がオフの状態を示す図である。図５（Ａ）に示すように、軸受穴４４を軸にしてロータ４１を左回り方向に回転させ、スイッチ調整部材４６Ａと切替部３０の凸部３１とが接触している状態にあるとする。このとき、切替部３０のスイッチ部材がオフの状態にあり、電極部１３と電極部１４との接続がオフになっている。図５（Ａ）の状態からさらにロータ４１を左回り方向に回転させることにより、図５（Ｂ）の状態となる。
【００２６】
図５（Ｂ）は、切替部３０のスイッチ部材がオンの状態を示す図である。図５（Ｂ）に示すように、ロータ４１を回転させることに伴いスイッチ調整部材４６Ａが物理的に移動して、切替部３０の凸部３１を押圧して切替部３０を移動させる。これにより、電極部１３と電極部１４との接続がオンとなる。
【００２７】
図５（Ｃ）は、切替部３０のスイッチ部材をオフからオンへと移行させたことを示す図である。底部３２の底面が電極部１３および電極部１４と接触し、電極部１３と電極部１４とが電気的に接続する。
【００２８】
図５（Ｄ）は、ステータ２１の断面を示す図であり、切替部３０の移動によって、底部３２の底面の導電性部材が、電極部１３、および図５（Ｄ）では図示しない電極部１４と接触している。
【００２９】
＜ロータ４１の回転角度に応じた可変コンデンサ１０の静電容量＞
図６は、切替部３０のスイッチ部材がオフの状態における、ロータ４１の回転角度と可変コンデンサ１０の静電容量との関係を示す図である。図７は、切替部３０のスイッチ部材がオンの状態における、ロータ４１の回転角度と可変コンデンサ１０の静電容量との関係を示す図である。図６と図７とにおいて、第１のコンデンサ部の静電容量を容量Ｃ１とし、第２のコンデンサ部の静電容量を容量Ｃ２とする。
【００３０】
図６（Ａ）は、ロータ４１の回転角度が０度の場合を示す図である。図６（Ｂ）は、ロータ４１の回転角度が０度の場合の等価回路を示す図である。図６（Ｃ）は、ロータ４１の回転角度が９０度の場合を示す図である。図６（Ｄ）は、ロータ４１の回転角度が９０度の場合の等価回路を示す図である。図６（Ｅ）は、ロータ４１の回転角度が１８０度の場合を示す図である。図６（Ｆ）は、ロータ４１の回転角度が１８０度の場合の等価回路を示す図である。
【００３１】
本実施の形態では、ロータ４１の回転角度が０度のときに（図６（Ａ）の状態）、可変コンデンサである第１のコンデンサ部５０の静電容量Ｃ１が最小値Ｍｉｎ＿Ｃ１をとる。ロータ４１の回転角度が０度から大きくなるにつれて、第１のコンデンサ部５０の静電容量Ｃ１が順次増加し、ロータ４１の回転角度が１８０度となったときに（図６（Ｅ）の状態）、第１のコンデンサ部５０の静電容量Ｃ１が最大値Ｍａｘ＿Ｃ１となる。また、図６（Ｂ）、図６（Ｄ）、図６（Ｆ）に示すように、切替部３０のスイッチ部材がオフの状態であるため、第２のコンデンサ部５１は可変コンデンサ１０と接続されていない。そのため、可変コンデンサ１０の静電容量の値は、可変コンデンサである第１のコンデンサ部５０の静電容量により定まる。
【００３２】
図７（Ａ）は、ロータ４１の回転角度が０度の場合を示す図である。図７（Ｂ）は、ロータ４１の回転角度が０度の場合の等価回路を示す図である。図７（Ｃ）は、ロータ４１の回転角度が９０度の場合を示す図である。図７（Ｄ）は、ロータ４１の回転角度が９０度の場合の等価回路を示す図である。図７（Ｅ）は、ロータ４１の回転角度が１８０度の場合を示す図である。図７（Ｆ）は、ロータ４１の回転角度が１８０度の場合の等価回路を示す図である。図７に示すように、切替部３０のスイッチ部材がオンの状態である場合は、第１のコンデンサ部５０と第２のコンデンサ部５１とが並列に接続されるため、可変コンデンサ１０の静電容量は、第１のコンデンサ部５０の静電容量と、第２のコンデンサ部５１の静電容量とを合成した値となる。第１のコンデンサ部５０の静電容量の値を容量Ｃ１、第２のコンデンサ部５１の静電容量の値を容量Ｃ２とした場合、可変コンデンサ１０の静電容量の値は、容量（Ｃ１＋Ｃ２）となる。図８は、ロータ４１の回転角度と、切替部３０のスイッチ部材のオンオフとにより定まる可変コンデンサ１０の静電容量の値を示す図である。図８に示すように、切替部３０のスイッチ部材がオフの状態からオンの状態となると、第１のコンデンサ部５０の静電容量の値に、第２のコンデンサ部５１の静電容量の値が合成されたものが可変コンデンサ１０の静電容量の値となる。
【００３３】
＜実施の形態２＞
図９から図１１を参照して、実施の形態２の可変コンデンサについて説明する。実施の形態２の可変コンデンサ２０は、ステータ２１において、ロータ４７に挿通される軸部５５を受け止めるための複数の軸受穴が形成されている。図９および図１０では、ステータ２１に形成される複数の軸受穴として、軸受穴２４Ａと軸受穴２４Ｂとを示している。図９は、第２のコンデンサ部が可変コンデンサ２０と接続されていない場合の可変コンデンサ２０の全体の構成を示す図である。図９において、軸部５５は、軸受穴２４Ａ（第１の軸）によって受け止められる。図１０は、第２のコンデンサ部が可変コンデンサ２０に接続されている場合の可変コンデンサ２０の全体の構成を示す図である。図１０において、軸部５５は、軸受穴２４Ｂ（第２の軸）によって受け止められる。図１１は、ロータ４１の回転角度と、軸部５５の固定位置とにより定まる可変コンデンサ２０の静電容量の値を示す図である。
【００３４】
図９において、図９（Ａ）は、可変コンデンサ２０の平面図である。図９（Ｂ）は、断面で示す可変コンデンサ２０の正面図である。図９（Ｃ）は、図９（Ｂ）の状態から、軸受穴４４に挿通される軸部５５を回転軸としてロータ４７を１８０度回転させた状態の断面で示す可変コンデンサ２０の正面図である。ロータ４７は、軸部５５を回転軸として３６０度回転可能である。図９（Ｄ）は、可変コンデンサ２０の等価回路を示す図である。
【００３５】
図９（Ｂ）および図９（Ｃ）に示すように、ロータ４７の下面側において、突出した段部を設けることでロータ側電極４８とロータ側電極４９とが形成される。ロータ４７は、ロータ側電極４８とロータ側電極４９とにおいてステータ２１と接触する。ロータ４７とステータ側電極１５とが対向し、ロータ４７が接触領域１２Ａおよび接触領域１２Ｂにおいてカバー１１と接触することで、第１のコンデンサ部５０が形成される。第１のコンデンサ部５０において、ロータ４７とステータ側電極１５とが対向している面積に応じた静電容量が発生する。図９（Ｂ）と図９（Ｃ）とに示すように、ロータ４７は、軸受穴２４Ａにおいてステータ２１に固定された軸部５５を軸として回転するため、ロータ４７の回転角度にかかわらず、ロータ４７と端子電極１７とが接触しない。そのため、図９（Ｄ）に示すように、第２のコンデンサ部５１と第１のコンデンサ部５０との並列な接続がオフとなり、可変コンデンサ２０の静電容量は、第１のコンデンサ部５０の回転角度に応じた容量となる。
【００３６】
図１０において、図１０（Ａ）は、可変コンデンサ２０の平面図である。図１０（Ｂ）は、断面で示す可変コンデンサ２０の正面図である。図１０（Ｃ）は、図１０（Ｂ）の状態から、軸受穴４４に挿通される軸部５５を回転軸としてロータ４７を１８０度回転させた状態の断面で示す可変コンデンサ２０の正面図である。図１０（Ｄ）は、可変コンデンサ２０の等価回路を示す図である。
【００３７】
図１０（Ｂ）および図１０（Ｃ）に示すように、ロータ４７は、ロータ側電極４８とロータ側電極４９とにおいてステータ２１と接触する。また、ロータ４７は、軸部５５を軸としたロータ４７の回転角度にかかわらず、端子電極１７と接触している。そのため、図１０（Ｄ）に示すように、第２のコンデンサ部５２と第１のコンデンサ部５０との並列な接続がオンとなり、可変コンデンサ２０の静電容量は、第１のコンデンサ部５０の回転角度に応じた容量と、第２のコンデンサ部５１の容量とを合成した容量となる。
【００３８】
このように、ロータ４７に挿通される軸部５５を、ステータ２１の複数の軸受穴のいずれによって受け止めるかにより、第２のコンデンサ部５２と第１のコンデンサ部５０との並列な接続のオンとオフとが切り替えられる。
【００３９】
そこで、図１１を参照して、ロータ４７の回転角度と、軸部５５の固定位置とにより定まる可変コンデンサ２０の静電容量との関係について説明する。図１１に示すように、軸部５５が軸受穴２４Ａ（第１の軸）によって受け止められている場合、可変コンデンサ２０の静電容量は、ロータ４７の回転角度に応じた第１のコンデンサ部５０の容量によって定まる。軸部５５が軸受穴２４Ｂ（第２の軸）によって受け止められている場合、可変コンデンサ２０の静電容量は、ロータ４７の回転角度に応じた容量と、第２のコンデンサ部５２の容量とを合成した容量となる。
【００４０】
（まとめ）
実施の形態で説明した可変コンデンサ１０および可変コンデンサ２０は、例えば、通信機器の周波数調整などの用途で使用することができる。可変コンデンサの回転角に応じた静電容量の変化量（容量変化特性）を小さく保ちつつ、第２のコンデンサのオンとオフとを切り替えることで、静電容量の最大値と最小値との差を大きくすることができ、周波数の特性のばらつきを吸収しつつ、広い範囲の周波数の調整を実現することができる。
【００４１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００４２】
１０  可変コンデンサ、１１  カバー、１２Ａ，１２Ｂ  接触領域、１３  電極部、１４  電極部、１５  ステータ側電極、１６  端子電極、１７  端子電極、１８  端子電極、１９  調整用穴、２０  可変コンデンサ、２１  ステータ、２４Ａ，２４Ｂ  軸受穴、３０  切替部、３１  凸部、３２  底部、４１  ロータ、４２  ロータ側電極、４３  ロータ側電極、４４  軸受穴、４６Ａ，４６Ｂ  スイッチ調整部材、４７  ロータ、４８  ロータ側電極、４９  ロータ側電極、５０  第１のコンデンサ部、５１  第２のコンデンサ部、５２  第１のコンデンサ部、５３  第２のコンデンサ部、５５  軸部。
【図１】
2015122409.tif 000003
【図２】
2015122409.tif 000004
【図３】
2015122409.tif 000005
【図４】
2015122409.tif 000006
【図５】
2015122409.tif 000007
【図６】
2015122409.tif 000008
【図７】
2015122409.tif 000009
【図８】
2015122409.tif 000010
【図９】
2015122409.tif 000011
【図１０】
2015122409.tif 000012
【図１１】
2015122409.tif 000013